(57)【要約】【課題】簡易な構成でロール紙またはカット紙を判別できるようにする手段を提供する。【解決手段】ロール状に巻き回された連続媒体または予め切断された切断媒体に画像を形成する画像形成装置において、給紙口に挿入された前記連続媒体または前記切断媒体を給紙する給紙部と、前記連続媒体を回転可能に保持する媒体保持部と、前記媒体保持部の回転状態を検知する回転検知部と、前記給紙部で媒体を給紙しているとき、前記回転検知部が検知した前記媒体保持部の回転状態に基づいて前記給紙部で給紙された媒体が前記連続媒体および前記切断媒体のいずれであるかを判別する制御部と、を有する。【選択図】        図１
2017134238.tif 000002
【特許請求の範囲】
【請求項１】
ロール状に巻き回された連続媒体または予め切断された切断媒体に画像を形成する画像形成装置において、
給紙口に挿入された前記連続媒体または前記切断媒体を給紙する給紙部と、
前記連続媒体を回転可能に保持する媒体保持部と、
前記媒体保持部の回転状態を検知する回転検知部と、
前記給紙部で媒体を給紙しているとき、前記回転検知部が検知した前記媒体保持部の回転状態に基づいて前記給紙部で給紙された媒体が前記連続媒体および前記切断媒体のいずれであるかを判別する制御部と、
を有することを特徴とする画像形成装置。
【請求項２】
請求項１に記載の画像形成装置において、
前記制御部は、前記給紙部で媒体を給紙しているとき、前記回転検知部で前記媒体保持部の回転を検知した場合、前記給紙部で給紙された媒体が前記連続媒体であると判定し、前記回転検知部で前記媒体保持部の回転を検知しなかった場合、前記給紙部で給紙された媒体が前記切断媒体であると判定することを特徴とする画像形成装置。
【請求項３】
請求項１または請求項２に記載の画像形成装置において、
前記媒体保持部に保持された前記連続媒体を回転させる駆動部を有し、
前記制御部は、前記駆動部で前記媒体保持部を回転させて前記連続媒体のたるみを解消した後、前記給紙部で媒体を給紙することを特徴とする画像形成装置。
【請求項４】
請求項１から請求項３のいずれかに記載の画像形成装置において、
画像を形成する媒体の種別を入力する入力部と、
前記連続媒体を切断する切断部を有し、
前記制御部は、前記給紙部で給紙された媒体が前記連続媒体であると判定し、前記入力部で入力された前記種別が前記切断媒体である場合、前記切断部で前記連続媒体を切断し、切断した前記連続媒体に画像を形成することを特徴とする画像形成装置。
【請求項５】
請求項４に記載の画像形成装置において、
前記入力部は、前記種別を情報処理装置から受信することを特徴とする画像形成装置。
【発明の詳細な説明】
【技術分野】
【０００１】
本発明は、ロール紙およびカット紙に画像を形成する画像形成装置に関する。
【背景技術】
【０００２】
従来の画像形成装置は、ロール紙およびカット紙のいずれかに画像を形成する場合、ロール紙の給紙口およびカット紙の給紙口のそれぞれの給紙口にセンサを設け、そのセンサの紙検知信号に基づいてロール紙またはカット紙のいずれが給紙口にセットされているかを判定するようにしている（例えば、特許文献１参照）。
【先行技術文献】
【特許文献】
【０００３】
【特許文献１】特開２０００−６２２６１号公報
【発明の概要】
【発明が解決しようとする課題】
【０００４】
しかしながら、従来の技術においては、ロール紙の給紙口およびカット紙の給紙口のそれぞれの給紙口にセンサを設ける必要があるため、装置の構成が複雑になり、またコストも上昇してしまうという問題がある。
本発明は、このような問題を解決することを課題とし、簡易な構成でロール紙またはカット紙を判別できるようにすることを目的とする。
【課題を解決するための手段】
【０００５】
そのため、本発明は、ロール状に巻き回された連続媒体または予め切断された切断媒体に画像を形成する画像形成装置において、給紙口に挿入された前記連続媒体または前記切断媒体を給紙する給紙部と、前記連続媒体を回転可能に保持する媒体保持部と、前記媒体保持部の回転状態を検知する回転検知部と、前記給紙部で媒体を給紙しているとき、前記回転検知部が検知した前記媒体保持部の回転状態に基づいて前記給紙部で給紙された媒体が前記連続媒体および前記切断媒体のいずれであるかを判別する制御部と、を有することを特徴とする。
【発明の効果】
【０００６】
このようにした本発明は、簡易な構成でロール紙またはカット紙を判別できるという効果が得られる。
【図面の簡単な説明】
【０００７】
【図１】第１の実施例における印刷制御部の構成を示すブロック図
【図２】第１の実施例における印刷装置の制御構成を示すブロック図
【図３】第１の実施例における印刷装置の要部の説明図
【図４】第１の実施例における給紙処理の流れを示すフローチャート
【図５】第１の実施例における用紙種別判定処理の流れを示すフローチャート
【図６】第１の実施例における用紙種別判定処理の説明図
【図７】第２の実施例における画像形成システムの制御構成を示すブロック図
【図８】第２の実施例における印刷制御部の構成を示すブロック図
【図９】第２の実施例における印刷処理の流れを示すフローチャート
【図１０】第２の実施例におけるロール紙制御処理の流れを示すフローチャート
【発明を実施するための形態】
【０００８】
以下、図面を参照して本発明による画像形成装置の実施例を説明する。
【実施例１】
【０００９】
図３は第１の実施例における印刷装置の要部の説明図である。
図３において、画像形成装置としての印刷装置１０は、ロール状に巻き回された連続媒体としてのロール紙、または予め所定の長さに切断された切断媒体としてのカット紙に画像を形成するものであり、印刷部１６と、給紙部３０と、ロール紙ホルダ４０とを有している。
印刷部１６は、ロール紙またはカット紙の印刷媒体に画像を形成して印刷を行うものである。
【００１０】
給紙部３０は、印刷媒体を給紙し、印刷部１６へ送り出すものである。給紙部３０は、印刷媒体が挿入される給紙口を有し、また給紙口の印刷媒体の有無を検知する用紙センサ３１と、給紙口に挿入された印刷媒体を挟持して印刷部１６へ搬送するフィードローラ３２と、印刷媒体（ロール紙）を切断するカット部１７とを有している。本実施例の給紙部３０は、給紙口に挿入されたロール紙またはカット紙を給紙し、印刷部１６へ搬送する。
【００１１】
媒体保持部としてのロール紙ホルダ４０は、未印刷の印刷媒体としてのロール紙４０ａを巻き回して回転可能に保持するものである。ロール紙４０ａに印刷を行う場合は、給紙部３０によりロール紙４０ａが給紙される。ロール紙ホルダ４０は、図中矢印Ａが示すロール紙４０ａの給紙方向とは逆方向に、ロール紙４０ａを回転させるモータ等の駆動部４１と、ロール紙４０ａの回転を検知する回転判定部４２とを有している。
【００１２】
回転検知部としての回転判定部４２は、ロール紙ホルダ４０の回転状態を検知するものである。この回転判定部４２は、ロール紙４０ａが巻き回された回転軸の回転を検知するセンサであり、例えばロール紙４０ａの回転軸に取り付けられた円板の回転を光学式センサ等で検知する。
【００１３】
図２は第１の実施例における印刷装置の制御構成を示すブロック図である。
図２において、印刷装置１０は、入力される画像データに基づいて印刷媒体に画像を形成するものであり、受信部１１と、送信部１２と、ＣＰＵ（Ｃｅｎｔｒａｌ  Ｐｒｏｃｅｓｓｉｎｇ  Ｕｎｉｔ）１３と、ＲＡＭ（Ｒａｎｄｏｍ  Ａｃｃｅｓｓ  Ｍｅｍｏｒｙ）１４と、ＲＯＭ（Ｒｅａｄ  Ｏｎｌｙ  Ｍｅｍｏｒｙ）１５と、印刷部１６と、カット部１７と、給紙部３０と、ロール紙ホルダ４０とを有している。
【００１４】
受信部１１は、通信回線を介して接続された外部装置から画像データ等の情報を受信するものである。
送信部１２は、通信回線を介して接続された外部装置へ通信制御データ等の情報を送信するものである。
ＣＰＵ１３は、ＲＯＭ１５に格納された制御プログラム（ソフトウェア）に基づいて印刷装置１０全体の動作を制御するものである。
【００１５】
ＲＡＭ１４は、画像データや制御データ等の各種データを一時的に記憶する記憶手段である。
ＲＯＭ１５は、画像データを解析して印刷動作を制御するための印刷制御部２０や印刷装置１０全体の動作を制御する制御プログラム等を格納する記憶手段である。なお、印刷制御部２０の詳細は後述する。
印刷部１６は、画像データに基づいて印刷媒体に画像を形成する印刷を行うものである。
【００１６】
切断部としてのカット部１７は、給紙部３０で給紙されたロール紙を切断するものである。
給紙部３０は、印刷媒体を給紙するものである。
ロール紙ホルダ４０は、印刷媒体としてのロール紙を巻き回して保持するものである。
受信部１１、送信部１２、ＣＰＵ１３、ＲＡＭ１４、ＲＯＭ１５、印刷部１６、カット部１７、給紙部３０、およびロール紙ホルダ４０は、内部バス１０ａを介して相互に接続されている。
【００１７】
図１は第１の実施例における印刷制御部の構成を示すブロック図である。
図１において、制御部としての印刷制御部２０は、給紙制御部２１と、たるみ解消制御部２２と、用紙種別判定部２３とを有している。
給紙制御部２１は、用紙センサ３１（図３参照）によって検出された印刷媒体を給紙部３０（図２および図３参照）により給紙するものである。
たるみ解消制御部２２は、ロール紙ホルダ４０の駆動部４１を制御し、ロール紙ホルダ４０に保持されたロール紙４０ａを回転させ、給紙されたロール紙のたるみを解消するものである。
【００１８】
用紙種別判定部２３は、ロール紙ホルダ４０の回転判定部４２から出力される情報に基づいて給紙された印刷媒体がロール紙またはカット紙であるかを判定し、その判定結果を用紙種別情報として用紙種別保持部１４１に記憶させるものである。この用紙種別保持部１４１には、印刷媒体が図３に示す給紙部３０の給紙口に存在しない状態を表す「用紙無し」、給紙口にロール紙が挿入されている状態を表す「ロール紙」、給紙口にカット紙が挿入されている状態を表す「カット紙」の情報が記憶される。なお、用紙種別保持部１４１は、図２に示すＲＡＭ１４の記憶領域である。
【００１９】
このように構成された印刷制御部２０は、給紙制御部２１の制御により給紙部３０で印刷媒体を給紙しているとき、回転判定部４２が検知したロール紙ホルダ４０の回転状態に基づいて給紙部３０で給紙された印刷媒体がロール紙およびカット紙のいずれであるかを判別する。即ち印刷制御部２０は、給紙部３０で媒体を給紙しているとき、回転判定部４２でロール紙ホルダ４０の回転を検知した場合、給紙部３０で給紙された印刷媒体がロール紙であると判定し、回転判定部４２でロール紙ホルダ４０の回転を検知しなかった場合、給紙部３０で給紙された印刷媒体がカット紙であると判定する。
【００２０】
上述した構成の作用について説明する。
印刷装置が行う印刷媒体の給紙処理を図４の第１の実施例における給紙処理の流れを示すフローチャートの図中Ｓで表すステップに従って図１〜図３を参照しながら説明する。
Ｓ１：まず、ユーザの操作により印刷媒体が印刷装置１０の給紙部３０の給紙口に挿入されるものとする。
印刷制御部２０の給紙制御部２１は、給紙部３０の用紙センサ３１により印刷媒体が給紙口に挿入されたこと、即ち紙有りを検知すると、処理をＳ２へ移行する。
【００２１】
Ｓ２：給紙制御部２１は、用紙センサ３１により紙有りを検知すると、フィードローラ３２を駆動して印刷媒体を噛み込む。
Ｓ３：次に、たるみ制御部２２は、ロール紙ホルダ４０の駆動部４１により、ロール紙４０ａを図３の矢印Ａが示す給紙方向とは逆の方向に回転させ、ロール紙４０ａのたるみを解消させる。
Ｓ４：たるみ制御部２２によりロール紙４０ａのたるみが解消されると、用紙種別判定部２３は、印刷媒体がロール紙またはカット紙であるかを判定する用紙種別判定処理（詳細は後述）を行い、本処理を終了する。
【００２２】
次に、印刷装置が行う用紙種別判定処理を図５の第１の実施例における用紙種別判定処理の流れを示すフローチャートの図中Ｓで表すステップに従って図１〜図３を参照しながら説明する。
Ｓ１１：まず、給紙制御部２１は、フィードローラ３２を駆動して印刷媒体を所定距離搬送する給紙動作を行う。
【００２３】
Ｓ１２：用紙種別判定部２３は、ロール紙ホルダ４０の回転判定部４２からロール紙４０ａの回転状態の情報を取得する。
用紙種別判定部２３は、取得したロール紙４０ａの回転状態の情報に基づいてロール紙４０ａが回転していると判定すると処理をＳ１３へ移行し、ロール紙４０ａが回転していないと判定すると処理をＳ１４へ移行する。
【００２４】
図６（ａ）に示すように、ロール紙ホルダ４０からロール紙４０ａが給紙部３０の給紙口に挿入されている場合、ロール紙４０ａが、図中矢印Ａが示す方向に回転していることが回転判定部４２により検知され、用紙種別判定部２３はロール紙４０ａが回転していると判定する。
一方、図６（ｂ）に示すように、カット紙が給紙部３０の給紙口に挿入されている場合、ロール紙４０ａが回転していることは回転判定部４２により検知されないため、用紙種別判定部２３はロール紙４０ａが回転していないと判定する。
【００２５】
Ｓ１３：用紙種別判定部２３は、ロール紙４０ａが回転していると判定すると、給紙口にロール紙が挿入されている状態を表す「ロール紙」の情報（用紙はロール紙である情報）を用紙種別保持部１４１に保存し、本処理を終了する。
Ｓ１４：一方、用紙種別判定部２３は、ロール紙４０ａが回転していないと判定すると、給紙口にカット紙が挿入されている状態を表す「カット紙」の情報（用紙はカット紙である情報）を用紙種別保持部１４１に保存し、本処理を終了する。
【００２６】
更に、印刷もしくは印刷媒体が抜かれるなどで給紙部に印刷媒体が無くなった場合は、「用紙無し」の情報を用紙種別保持部１４１に保存する。
なお、用紙種別判定部２３により用紙種別判定処理が行われた後、用紙種別保持部１４１に保存された印刷媒体の種別を表す情報に基づいて給紙部３０はロール紙またはカット紙の給紙を行い、印刷部１６は給紙部３０により給紙されたロール紙またはカット紙に画像を形成して印刷を行う。
【００２７】
このように、印刷制御部２０の用紙種別判定部２３は、ロール紙ホルダ４０の回転判定部４２でロール紙４０ａの回転を検知した場合、ロール紙４０ａが給紙部３０に挿入されていると判定し、ロール紙ホルダ４０の回転判定部４２でロール紙４０ａの回転を検知しない場合、カット紙が給紙部３０に挿入されていると判定する。
【００２８】
したがって、印刷装置１０は、ロール紙ホルダ４０の回転判定部４２で検知したロール紙４０ａの回転状態に基づいてロール紙４０ａまたはカット紙のいずれが給紙部３０に挿入されているかを判定することができるようになり、簡易な構成で給紙部３０に挿入されている印刷媒体がロール紙またはカット紙であるかを判別できるようになる。
【００２９】
なお、本実施例では、ロール紙ホルダ４０のロール紙４０ａの回転を検知して給紙された印刷媒体の種類を判断するようにしたが、ロール紙ホルダ４０のロール紙４０ａの重さを検知する手段を設け、検知された重さに基づいてロール紙４０ａの有無を検知し、給紙された印刷媒体の種類を判断するようにしても良い。
【００３０】
以上説明したように、第１の実施例では、ロール紙ホルダ部の回転判定部で検知したロール紙の回転状態に基づいてロール紙またはカット紙のいずれが給紙部に挿入されているかを判定するようにしたことにより、簡易な構成で給紙部に挿入されている印刷媒体がロール紙またはカット紙であるかを判別できるという効果が得られる。
【００３１】
また、印刷装置を小型化でき、製造コストも削減することができるという効果が得られる。
さらに、自動的に印刷媒体の種類を判別するため、印刷媒体の切り替え操作の誤りによる印刷装置の誤動作を防止することができるという効果が得られる。
【実施例２】
【００３２】
第２の実施例の構成は、第１の実施例の印刷装置に情報処理装置が接続された構成となっている。その第２の実施例の構成を図７および図８に基づいて説明する。なお、上述した第１の実施例と同様の部分は、同一の符号を付してその説明を省略する。
図７は第２の実施例における画像形成システムの制御構成を示すブロック図である。
図７において、情報処理装置６０は、例えばパーソナルコンピュータやタブレット端末、携帯情報端末等のホストコンピュータであり、印刷装置１０と通信回線としてのネットワーク５０を介して通信可能に接続され、画像形成システムを構成している。
【００３３】
情報処理装置６０は、ＣＰＵ６１と、ＯＳ（Ｏｐｅｒａｔｉｎｇ  Ｓｙｓｔｅｍ）６２と、入力装置６３と、表示装置６４と、内部記憶装置６５と、送信部６６と、受信部６７とを有している。
ＣＰＵ６１は、ＯＳ６２や内部記憶装置６５に格納された制御プログラム（ソフトウェア）に基づいて情報処理装置６０全体の動作を制御するものである。
【００３４】
ＯＳ６２は、情報処理装置６０の動作を制御するための基本ソフトウェアである。
入力装置６３は、外部から印刷設定情報等のデータを入力するキーボードやタッチパネル等の操作部等である。
表示装置６４は、印刷内容や印刷設定情報等の各種情報を表示するディスプレイ等である。
内部記憶装置６５は、印刷装置１０へ送信する印刷データを生成するプリンタドライバ７０を記憶するメモリ等の記憶手段である。
【００３５】
プリンタドライバ７０は、入力装置６３により利用者の操作を受付け、印刷装置１０で印刷する印刷媒体を「ロール紙」または「カット紙」等の指定（印刷媒体の種別の指定）を行うことができ、「カット紙」を指定した場合、用紙長を指定することができるようになっている。また、プリンタドライバ７０は、指定された印刷媒体の指定および用紙長を印刷データに含ませ、印刷装置１０へ送信することができるようになっている。
送信部６６は、ネットワーク５０を介してプリンタドライバ７０で生成された印刷データ等を送信するものである。
受信部６７は、ネットワーク５０を介して通信制御データ等の情報を受信するものである。
【００３６】
ＣＰＵ６１、ＯＳ６２、入力装置６３、表示装置６４、内部記憶装置６５、送信部６６、および受信部６７は、内部バス６０ａを介して相互に接続されている。
本実施例の印刷装置１０の入力部としての受信部１１は、ネットワーク５０を介して接続された外部装置としての情報処理装置６０から画像データや画像を形成する印刷媒体の種別の情報等からなる印刷データ等の情報を受信（入力）するものである。
【００３７】
図８は第２の実施例における印刷制御部の構成を示すブロック図である。
図８において、制御部としての印刷制御部２０は、印刷データ生成部２４と、ロール紙制御部２５と、カット紙制御部２６とを有している。なお、印刷制御部２０は、給紙制御部２１、たるみ解消制御部２２、および用紙種別判定部２３を有しているが、図１に示す第１の実施例と同様なのでその説明を省略する。
【００３８】
印刷データ生成部２４は、図７に示す受信部１１を介して情報処理装置６０から受信したデータを図７に示すＲＡＭ１４に格納した受信データ１４２、および第１の実施例で説明した用紙種別保持部１４１に基づいて印刷可能な印刷データとして画像データを生成するものである。
ロール紙制御部２５は、ロール紙のカットおよびカットしたロール紙を印刷媒体として印刷を行うものである。
【００３９】
カット紙制御部２６は、カット紙に印刷を行うものである。
ロール紙制御部２５には、ロール紙のカットを行うカット部１７と、印刷媒体を搬送して印刷を行う印刷部１６とが接続されている。また、カット紙制御部２６には、印刷部１６が接続されている。
本実施例の印刷制御部２０は、給紙部３０で給紙された印刷媒体がロール紙であると判定し、受信データ１４２に格納された印刷媒体の種別の情報が「カット紙」である場合、カット部１７でロール紙を切断し、切断したロール紙に画像を形成する。
【００４０】
上述した構成の作用について説明する。
印刷装置が行う印刷処理を図９の第２の実施例における印刷処理の流れを示すフローチャートの図中Ｓで表すステップに従って図７および図８を参照しながら説明する。
Ｓ２１：印刷装置１０の印刷データ生成部２４は、情報処理装置６０から印刷データを受信すると、用紙種別保持部１４１から印刷媒体の種別を表す情報を取得し、取得した情報が「用紙無し」であった場合、処理をＳ２２へ移行し、取得した印刷媒体の種別を表す情報がロール紙またはカット紙であった場合、「紙有り」と認識して処理をＳ２５へ移行する。
【００４１】
Ｓ２２：給紙制御部２１は、ロール紙またはカット紙が給紙部３０の給紙口に挿入されるまで待機し、給紙部３０の用紙センサ３１により印刷媒体が給紙口に挿入されたこと、即ち紙有りを検知すると、フィードローラ３２を駆動して印刷媒体を噛み込む。
Ｓ２３、Ｓ２４：図４に示すＳ３、Ｓ４と同様の処理なので説明を省略する。
Ｓ２５：印刷データ生成部２４は、用紙種別保持部１４１から取得した印刷媒体の種別を表す情報が、「ロール紙」であると判定すると処理をＳ２６へ移行し、「カット紙」であると判定すると処理をＳ２７へ移行する。
【００４２】
Ｓ２６：印刷データ生成部２４により印刷媒体の種別を表す情報が「ロール紙」であると判定されると、ロール紙制御部２５は、ロール紙制御処理を行い、本処理を終了する。なお、ロール紙制御処理の詳細は後述する。
Ｓ２７：一方、印刷データ生成部２４により印刷媒体の種別を表す情報が「カット紙」であると判定されると、カット紙制御部２６は、カット紙制御処理を行い、本処理を終了する。なお、カット紙制御処理は、受信データ１４２に格納された印刷データをカット紙に印刷する従来の処理なので説明を省略する。
【００４３】
次に、ロール紙制御部２５が行うロール紙制御処理を図１０の第２の実施例におけるロール紙制御処理の流れを示すフローチャートの図中Ｓで表すステップに従って図７および図８を参照しながら説明する。
Ｓ３１：ロール紙制御部２５は、受信データ１４２に格納された印刷データを解析する。
【００４４】
Ｓ３２：ロール紙制御部２５は、印刷データを解析した結果、印刷に使用する印刷媒体の指定が「ロール紙」であると判定すると、処理をＳ３４へ移行し、印刷に使用する印刷媒体の指定が「ロール紙」でないと判定すると、処理をＳ３３へ移行する。
Ｓ３３：印刷に使用する印刷媒体の指定が「ロール紙」でない場合、ロール紙制御部２５は、カット部１７により、印刷データで指定された用紙長になるようにロール紙をカットする。
【００４５】
Ｓ３４：印刷に使用する印刷媒体の指定が「ロール紙」である場合、ロール紙制御部２５は、印刷部１６により、そのままロール紙に受信データ１４２に格納された印刷データを印刷し、本処理を終了する。
一方、印刷に使用する印刷媒体の指定が「ロール紙」でない場合、ロール紙制御部２５は、カット部１７によりカットされた印刷媒体に受信データ１４２に格納された印刷データを印刷し、本処理を終了する。
【００４６】
このように、本実施例では、印刷装置１０は、ロール紙が給紙部３０に挿入されている状態において、印刷データをカット紙に印刷する指示を受けた場合、ロール紙を指定された用紙長にカットし、カットされた印刷媒体に受信した印刷データを印刷する。
したがって、ロール紙が給紙部３０に挿入されている状態において、印刷データをカット紙に印刷する指示を受けた場合であっても、ロール紙をカットした印刷媒体に受信した印刷データを印刷することができる。
【００４７】
また、印刷データをロール紙に印刷する指定ができないプリンタドライバであっても、印刷データをロール紙に印刷することができるようになる。
さらに、カット紙を用意できない場合でも、ロール紙をカットして印刷を行うことができる。
【００４８】
なお、本実施例では、印刷装置１０に給紙されている印刷媒体の種類と、情報処理装置６０から指示された印刷媒体の種類とが異なる場合（例えば、給紙されている印刷媒体の種類がロール紙、指示された印刷媒体の種類がカット紙の場合）、給紙されている印刷媒体に合わせて印刷を行うようにしたが、不正な指示として印刷を行わないようにするか、印刷媒体を切り替えることを促すように表示手段に表示するようにしても良い。例えば、給紙されている印刷媒体の種類がカット紙、指示された印刷媒体の種類がロール紙の場合、不正な指示として印刷を行わないようにするか、印刷媒体を切り替えることを促すように表示手段に表示する。
【００４９】
また、印刷装置１０に印刷媒体が給紙されていない状態では、情報処理装置６０からの印刷媒体の種類の指示に応じて給紙部３０に挿入する印刷媒体の種類を印刷装置１０や情報処理装置６０の表示手段に表示するようにしても良い。したがって、工場出荷時等の保守モード時は、カット紙を給紙部３０に挿入するように表示手段に表示するようにしても良い。
【００５０】
さらに、印刷装置１０は、ロール紙が給紙部３０に挿入されている状態において、印刷データをカット紙に印刷する指示を受けた場合、ロール紙を指定された用紙長にカットする例で説明したが、ロール紙をカットしない、または印刷データをすべて印刷した後にカットする等、ロール紙をカットする長さを任意に設定するようにしても良い。
【００５１】
以上説明したように、第２の実施例では、第１の実施例の効果に加え、ロール紙が給紙部に挿入されている状態において、印刷データをカット紙に印刷する指示を受けた場合であっても、ロール紙をカットした印刷媒体に受信した印刷データを印刷することができるようになるという効果が得られる。
【００５２】
また、印刷データをロール紙に印刷する指定ができないプリンタドライバであっても、印刷データをロール紙に印刷することができるようになるという効果が得られる。
さらに、カット紙を用意できない場合でも、ロール紙をカットして印刷を行うことができるようになるという効果が得られる。
【符号の説明】
【００５３】
１０  印刷装置
１１、６７  受信部
１２、６６  送信部
１３、６１  ＣＰＵ
１４  ＲＡＭ
１５  ＲＯＭ
１６  印刷部
１７  カット部
２０  印刷制御部
２１  給紙制御部
２２  たるみ解消制御部
２３  用紙種別判定部
２４  印刷データ生成部
２５  ロール紙制御部
２６  カット紙制御部
３０  給紙部
４０  ロール紙ホルダ
４１  駆動部
４２  回転判定部
６０  情報処理装置
６２  ＯＳ
６３  入力装置
６４  表示装置
６５  内部記憶装置
７０  プリンタドライバ
【図１】
2017134238.tif 000003
【図２】
2017134238.tif 000004
【図３】
2017134238.tif 000005
【図４】
2017134238.tif 000006
【図５】
2017134238.tif 000007
【図６】
2017134238.tif 000008
【図７】
2017134238.tif 000009
【図８】
2017134238.tif 000010
【図９】
2017134238.tif 000011
【図１０】
2017134238.tif 000012